(57)【特許請求の範囲】
【請求項１】
電気機器と、この電気機器の電源となる蓄電池とを備える買物かごの充電装置であって、
上面が開口する箱型の買物かごを上下に重ねて載置可能な買物かご台と、
前記買物かご台に設けられ、載置された前記買物かごに充電可能な充電器と
を備え、
前記買物かごは、前記開口の縁に沿って形成された鍔部と、前記買物かごの側面の一つに形成された前記鍔部に埋設され、鋭角な頂部を有する略円錐状の一対の第１電極とを備え、
前記電気機器及び前記蓄電池は、前記一対の第１電極が設けられた前記鍔部が形成された前記買物かごの前記側面に設けられ、
前記一対の第１電極の夫々の頂部は、前記鍔部の上面から上方に向けて突出し、
前記一対の第１電極の底面の夫々は、前記鍔部の下面に陥没して露出し、
前記買物かご台は、前記充電器の出力端子が接続される鋭角な頂部を有する一対の第２電極を備え、
前記買物かごが上下に重ねて載置された状態で、下に重ねられた買物かごの前記第１電極の前記頂部が、その上に重ねられた買物かごの前記第１電極の前記底面に当接し、最下段に載置される前記買物かごの前記第１電極の前記底面が、前記買物かご台に設けられている前記第２電極の前記頂部に当接するように構成されている
ことを特徴とする買物かごの充電装置。
【請求項２】
電気機器と、この電気機器の電源となる蓄電池とを備え、上面が開口する箱型の買物かごであって、
前記開口の縁に沿って形成された鍔部と、前記買物かごの側面の一つに形成された前記鍔部に埋設され、鋭角な頂部を有する略円錐状の一対の第１電極とを備え、
前記電気機器及び前記蓄電池は、前記一対の第１電極が設けられた前記鍔部が形成された前記買物かごの前記側面に設けられ、
前記一対の第１電極の夫々の頂部は、前記鍔部の上面から上方に向けて突出し、
前記一対の第１電極の底面の夫々は、前記鍔部の下面に陥没して露出し、
前記買物かごが上下に重ねて載置された状態で、下に重ねられた買物かごの前記第１電極の前記頂部が、その上に重ねられた買物かごの前記第１電極の前記底面に当接し、最下段に載置される前記買物かごの前記第１電極の前記底面が、充電器の出力端子が接続される鋭角な頂部を有する一対の第２電極を備えた買物かご台の前記第２電極の前記頂部に当接するように構成されている
ことを特徴とする買物かご。
【請求項３】
請求項２に記載の買物かごであって、
前記買物かごが備える電気機器は、当該買物かごを識別する買物かご識別ＩＤを含む無線信号を送信可能なＩＣタグであることを特徴とする買物かご。
【請求項４】
請求項３に記載の買物かごが店舗から盗難されるのを監視するシステムであって、
前記店舗内に設置され、前記ＩＣタグから送信された無線信号を受信可能な複数のセンサと、
前記複数のセンサにより受信された前記無線信号に含まれる前記買物かご識別ＩＤに基づき、前記買物かごが前記店舗内にあるか否かを判定する判定手段と、
を備えることを特徴とする買物かごの盗難監視システム。
【発明の詳細な説明】
【技術分野】
【０００１】
本発明は、電気機器と、この電気機器の電源となる充電池とを備えた買物かご、この買物かごの充電装置及びこの買物かごの盗難を監視するためのシステムに関する。
【背景技術】
【０００２】
近年コンビニエンスストアやスーパーマーケット等の商業施設において、買物かごに商品を入れたまま店外に持ち去る盗難事件が起こっている。このような買物かごの盗難を防ぐべく、店員を出入り口に配置し、店員が監視することが考えられる。
【発明の開示】
【発明が解決しようとする課題】
【０００３】
しかしながら、上記のように店員を出入り口に配置する方法では、常時、多数の店員を配置しなければならず、人手が多く必要となる。また、店員による監視では、監視できる範囲も限られてしまい、大型の商業施設では監視を充分に行うことができない。
そこで、例えば、買物かごにＩＣタグを組み込み、このＩＣタグにより当該買物かごを識別する買物かご識別ＩＤを含む無線信号を発信させ、この無線信号を店舗内に設けたセンサにより受信して買物かごを監視する方法が考えられる。しかし、この方法では、ＩＣタグから無線信号を発信し続けなければならないが、電源である電池が切れると、ＩＣタグが作動できなくなる。
【０００４】
本発明は、上記の問題に鑑みなされたものであり、その目的は、買物かごに組み込まれた電気機器の電源となる電池に充電できるようにすることである。
【課題を解決するための手段】
【０００５】
本発明の買物かごの充電装置は、電気機器と、この電気機器の電源となる蓄電池とを備える買物かごの充電装置であって、上面が開口する箱型の買物かごを上下に重ねて載置可能な買物かご台と、前記買物かご台に設けられ、載置された前記買物かごに充電可能な充電器とを備え、前記買物かごは、前記開口の縁に沿って形成された鍔部と、前記買物かごの側面の一つに形成された前記鍔部に埋設され、鋭角な頂部を有する略円錐状の一対の第１電極とを備え、前記電気機器及び前記蓄電池は、前記一対の第１電極が設けられた前記鍔部が形成された前記買物かごの前記側面に設けられ、前記一対の第１電極の夫々の頂部は、前記鍔部の上面から上方に向けて突出し、前記一対の第１電極の底面の夫々は、前記鍔部の下面に陥没して露出し、前記買物かご台は、前記充電器の出力端子が接続される鋭角な頂部を有する一対の第２電極を備え、前記買物かごが上下に重ねて載置された状態で、下に重ねられた買物かごの前記第１電極の前記頂部が、その上に重ねられた買物かごの前記第１電極の前記底面に当接し、最下段に載置される前記買物かごの前記第１電極の前記底面が、前記買物かご台に設けられている前記第２電極の前記頂部に当接するように構成されている。
【０００７】
また、前記買物かごは、前記充電器から発信された電波を受信して誘導電圧を発生させるコイルを備え、このコイルに発生した誘導電圧により前記蓄電池が充電されてもよい。
【０００８】
また、本発明の買物かごは、電気機器と、この電気機器の電源となる蓄電池とを備え、上面が開口する箱型の買物かごであり、前記開口の縁に沿って形成された鍔部と、前記買物かごの側面の一つに形成された前記鍔部に埋設され、鋭角な頂部を有する略円錐状の一対の第１電極とを備え、前記電気機器及び前記蓄電池は、前記一対の第１電極が設けられた前記鍔部が形成された前記買物かごの前記側面に設けられ、前記一対の第１電極の夫々の頂部は、前記鍔部の上面から上方に向けて突出し、前記一対の第１電極の底面の夫々は、前記鍔部の下面に陥没して露出し、前記買物かごが上下に重ねて載置された状態で、下に重ねられた買物かごの前記第１電極の前記頂部が、その上に重ねられた買物かごの前記第１電極の前記底面に当接し、最下段に載置される前記買物かごの前記第１電極の前記底面が、充電器の出力端子が接続される鋭角な頂部を有する一対の第２電極を備えた買物かご台の前記第２電極の前記頂部に当接するように構成されている。
上記の買物かごにおいて、前記買物かごが備える電気機器は、当該買物かごを識別する買物かご識別ＩＤを含む無線信号を送信可能なＩＣタグであってもよい。
また、本発明の買物かごの盗難監視システムは、上記の買物かごが店舗から盗難されるのを監視するシステムであって、前記店舗内に設置され、前記ＩＣタグから送信された無線信号を受信可能な複数のセンサと、前記複数のセンサにより受信された前記無線信号に含まれる前記買物かご識別ＩＤに基き、前記買物かごが前記店舗内にあるか否かを判定する判定手段と、を備えることを特徴とする。
【発明の効果】
【０００９】
本発明によれば、買物かご台本体に買物かごを上下に重ねて載置しておくだけで、買物かごの充電池を充電することが可能となる。
【発明を実施するための最良の形態】
【００１０】
以下、本発明が盗難監視システムに適用された場合の一実施形態について図面を参照しながら詳細に説明する。
図１は、本実施形態の盗難監視システム１０の構成を示す図である。本実施形態の買物かご２０の盗難監視システム１０は、スーパーマーケット等の商業施設の店舗内に複数のセンサ４０を設置しておき、このセンサ４０により買物客の所持する買物かご２０に組み込まれたＩＣタグ２１から発信される無線信号を受信し、センサ４０で受信した無線信号に基き、買物かご２０の盗難を監視するものである。
【００１１】
図１に示すように、盗難監視システム１０は、買物かご２０に取り付けられ、この買物かご２０を識別する買物かご識別ＩＤを含む無線信号を発信するＩＣタグ２１と、監視装置３０と、監視装置３０に接続された複数のセンサ４０と、監視装置３０に接続された複数のスピーカ５０とにより構成される。
【００１２】
監視装置３０は、盗難判定部３１と、買物かご監視部３２と、警報発信部３３と、受信履歴記録部３４と、受信履歴取得部３５と、受信履歴データベース３６と、を備える。
【００１３】
センサ４０はその受信可能範囲が店舗内の全域をカバーするように複数箇所配置されており、また、各センサ４０に対応してスピーカ５０が、センサ４０の近傍に設けられている。センサ４０はＩＣタグ２１が発信する信号を受信し、買物かご監視部３２は、センサ４０が受信した無線信号に含まれる買物かご識別ＩＤと、当該センサ４０を識別するセンサ識別ＩＤとを取得する。
盗難判定部３１は、買物かご監視部３２が取得した買物かご識別ＩＤに基き、買物かご２０の盗難が発生したか否かを後述する方法により判定する。
警報発信部３３には、スピーカ５０が接続されており、盗難判定部３１により買物かご２０が盗難されたと判定された場合に、接続されたスピーカ５０により警報を発信する。
【００１４】
受信履歴データベース３６には、各買物かご識別ＩＤと、この買物かご識別ＩＤを最後に受信したセンサ４０を示すセンサ識別ＩＤとが対応づけて記録されている。
受信履歴記録部３４は、各買物かご識別ＩＤについて、買物かご監視部３２が取得したセンサ識別ＩＤを受信履歴データベース３１に記録する。
受信履歴取得部３５は、買物かご監視部３２により盗難が発生したと判定された場合に、受信履歴データベース３１を参照して、盗難されたと判定された買物かご２０に対応する買物かご識別ＩＤと対応付けられて記録されたセンサ識別ＩＤ（つまり、この買物かごの買物かご識別ＩＤを最後に受信したセンサ４０のセンサ識別ＩＤ）を取得する。
【００１５】
なお、監視装置３０は、例えば、コンピュータにより構成され、各機能部３１〜３５は、コンピュータがプログラムを実行することにより実施される。また、データベース３６は例えば、メモリやハードディスク等の記憶装置に構築される。
店舗内には、利用されていない買物かご２０を重ねて載置するための買物かご台６０が設置されている。
【００１６】
図２は、買物かご２０の構成を示す図であり、（Ａ）は斜視図、（Ｂ）は（Ａ）におけるＢ部拡大図、（Ｃ）は（Ｂ）におけるＣ−Ｃ´断面図であり、（Ｄ）は（Ｂ）におけるＤ−Ｄ´断面図である。同図に示すように、買物かご２０は、上面が開口する箱型のプラスチック製のかごであり、その開口部の周囲に外側へ延出する鍔部２０Ａが形成されており、買物かご台６０に重ね合わせて設置した際に、上下の買物かご２０の鍔部２０Ａが重なり合うようになっている。
開口の鍔部２０Ａには、一対の電極２３が上方に突出するとともに、その下面が買物かご２０の鍔部２０Ａの下面に露出するように設けられている。一対の電極２３には蓄電池２２が電気的に接続されており、さらに、この蓄電池２２はＩＣタグ２１に電気的に接続されている。ＩＣタグ２１は、アクティブタイプのＩＣタグであり、蓄電池２２から電力を供給されることで、常時、上記した無線信号を発信する。
【００１７】
図３は、買物かご台６０の構成を示す図であり、（Ａ）は斜視図、（Ｂ）は（Ａ）におけるＢ部拡大図である。同図に示すように、買物かご台６０は買物かご２０を収容可能な枠材６１からなる。枠材６１には、買物かご２０を収容した状態で電極２３の直下にあたる位置には、上方に突出するように電極６２が設けられている。この電極６２にはコンセント６３から供給された電力で作動する充電器６４が接続されている。
【００１８】
図４は、買物かご台６０に複数の買物かご２０が重ねて置かれた状態を示す図であり、（Ａ）は斜視図、（Ｂ）は買物かごの電極６２の近傍の拡大断面図であり、（Ｃ）は（Ｂ）におけるＣ−Ｃ´断面図である。同図に示すように、最下段に位置する買物かご２０の電極２３の鍔部２０Ａの下面に露出した部分には、買物かご台６０の枠材６１から上方へ突出した電極６２が当接することで、電極６２から電極２３は電力が供給される。また、上下に重ねられた買物かご２０において、下段に位置する買物かご２０の電極２３の上方に突出した部分が、上段に位置する買物かご２０の電極２３の下面に当接する。これにより、重ねられて置かれた複数の買物かご２０の電極２３同士は電気的に導通することとなる。
【００１９】
これにより、重ねられた全ての買物かご２０の電極２３に電極６２から電力が供給され、それら全ての買物かご２０の蓄電池２２が充電される。
【００２０】
以下、本実施形態の盗難監視システム１０により買物かご２０の盗難を監視する流れに図５に示すフローチャートを参照して説明する。
上記のように、常時、買物かご２０のＩＣタグ２１から買物かご２０を識別する買物かご識別ＩＤを含む無線信号が発信されている。センサ４０はその受信可能範囲が店舗内の全域をカバーするように配置されているため、買物かご２０が店舗内にある場合には、ＩＣタグ２１から発信された無線信号は店舗内のセンサ４０のうち、少なくとも何れか一つにより受信される。
【００２１】
まず、ＳＴＥＰ１において、監視装置３０は、買物かご監視部３２により、全てのセンサ４０から、当該センサ４０において受信された無線信号に含まれる買物かご識別ＩＤを取得する。
次に、ＳＴＥＰ２において、盗難判定部３１により、全ての買物かご２０に対応する買物かご識別ＩＤが取得されたか否かを判定する。
【００２２】
ＳＴＥＰ２において、全ての買物かご２０に対応する買物かご識別ＩＤが取得されたと判定された場合（ＳＴＥＰ２においてＹＥＳ）は、全ての買物かご２０が店舗内に存在するということになるので、買物かご２０の盗難が発生していないと判定される。
【００２３】
この場合には、ＳＴＥＰ３において、監視装置３０は、受信履歴記録部３４により、受信履歴データベース３６に、各買物かご識別ＩＤについて、買物かご監視部３２がこの買物かご識別ＩＤを取得したセンサ４０を示すセンサ識別ＩＤを対にして記録する。
そして、ＳＴＥＰ１に戻り、所定の時間間隔ごとに上記のＳＴＥＰ１〜３の工程を繰り返す。
【００２４】
また、ＳＴＥＰ２において、何れかの買物かご２０の買物かご識別ＩＤが取得されていないと判定された場合（ＳＴＥＰ２においてＮＯ）には、取得されていない買物かご識別ＩＤに対応する買物かご２０が、センサ４０による受信可能領域外である店舗の外へ持ち出されたことになるので、当該買物かご２０が盗難されたと判定される。
【００２５】
この場合、ＳＴＥＰ４において、監視装置３０は、受信履歴取得部３５により、受信履歴データベース３６を参照して、盗難されたと判定された買物かご２０の買物かご識別ＩＤに対応付けられたセンサ識別ＩＤを取得する。
【００２６】
次に、ＳＴＥＰ５において、監視装置３０は、警報発信部３３により、取得したセンサ識別ＩＤに該当するセンサ４０の近傍に設けられたスピーカ５０から買物かご２０が盗難された旨の警報を発信する。
【００２７】
これにより、買物かご２０の盗難が発生したことのみならず、その発生位置を従業員が直ちに知ることができる。また、買物かご２０が持ち去られた位置の周囲の買物客にも盗難が発生したことを知らせることができるため、目撃者が多くなる。このため、盗難が発生した場合であっても早期の事件解決が望める。
【００２８】
また、本実施形態によれば、利用されていない買物かご２０を重ねて載置する買物かご台に、蓄電池２２を充電するための充電装置を組み込んだため、買物かご２０が利用されずに載置されている間に充電を行うことが可能となり、これにより、電池切れになり、ＩＣタグが動作不能になるという事態を回避することができる。
【００２９】
また、買物かご２０の鍔部２０Ａに上面から突出するとともに、鍔部２０Ａの下面に露出するように電極２３を設けることにより、買物かご２０が重ねられて載置された状態であっても、これら電極２３が導通することとなるため、買物かご２０を重ねた状態でも蓄電池２２の充電が可能となる。
【００３０】
また、買物かご２０に取り付けられたＩＣタグ２１から発信された無線信号を店舗内に設置されたセンサ４０により受信できるか否かに基き、買物かご２０の盗難の発生を発見できるため、人手をかけることなく買物かご２０の盗難を発見できる。また、大型の商業施設であっても、センサ４０の受信可能範囲が店舗内をカバーするように設けることで、買物かご２０の盗難を監視できる。
【００３１】
また、最後に無線信号が受信されたセンサ４０の近傍に設けられたスピーカ５０により警報を発することとしたため、目撃者が多くなり、盗難が発生した場合であっても早期の事件解決が望める。
【００３２】
なお、本実施形態では、電極２３を買物かご２０の鍔部２０Ａに設けるものとしたが、これに限らず、電極２３は、複数の買物かご２０を重ねた状態において、これらの買物かご２０の電極２３同士が当接する位置に設けられていればよい。
【００３３】
また、本実施形態では、スピーカ５０より警報を発するものとしたが、これに限らず、盗難があった旨の画面表示をしてもよく、警報を発信する手段は問わない。
【００３４】
また、本実施形態では、センサ４０によりＩＣタグ２１から発信された無線信号を受信可能であるか否かに基き、買物かご２０の盗難の発生を監視するものとしたが、これに限らず、センサ４０により受信された無線信号に基き、買物かご２０の位置を推定し、盗難の発生を監視してもよい。
【００３５】
さらに、例えば、センサ４０を店舗の出入口の外側にのみ設けておき、このセンサ４０により無線信号が受信された場合には、買物かご２０が盗難されたと判定してもよい。また、店舗に駐車場等が併設されている場合には、この駐車場が受信可能範囲に含まれるようにセンサ４０を設置しておき、センサ４０により無線信号が受信されない場合に、盗難が発生したと判定してもよい。
【００３６】
また、本実施形態では、センサ４０の近傍に設けられたスピーカ５０より警報を発するものとしたが、これに限らず、例えば、買物かご２０にスピーカを組み込んでおき、このスピーカから警報を発することも可能である。このような場合には、監視装置３０に無線信号を発信するためのアンテナを接続しておき、買物かご監視部３３により買物かご２０が持ち去られたと判定された場合には、アンテナにより持ち去られた買物かご２０に対応する識別ＩＤを含む警告する旨の無線信号を発信する。そして、各買物かご２０においてＩＣタグ２１がこの無線信号を受信すると、無線信号に含まれる買物かご識別ＩＤがこの買物かご２０に該当するか否かを判定し、該当する場合にはスピーカ５０から警報を発するようにすればよい。なお、このような構成において、ＩＣタグ２１から発信される無線信号を受信できなくなったことにより買物かご２０が盗難されたと判定する場合、アンテナから発信ＩＣタグ２１により受信できない虞がある。しかしながら、アンテナから発信される無線信号をＩＣタグ２１から発信される無線信号に比べて強くすることにより、ＩＣタグ２１から発信される無線信号をアンテナが受信できなくても、アンテナより発信される無線信号をＩＣタグ２１が受信することは可能である。
【００３７】
なお、本実施形態では、買物かご２０の鍔部２０Ａに設けられた電極２３と、買物かご台６０の電極６１とを電気的に導通させて、蓄電池２２を充電するものとしたが、これに限らず、非接触型の充電器により蓄電池を充電することもできる。図６は、非接触型の買物かご台１６０により充電を行う場合の買物かご１２０及び買物かご台１６０の構成を示す図である。同図に示すように、買物かご台１６０の下面には平面状のコイル１６２を備えた非接触型の送電装置１６１が設けられ、この送電装置１６１にはコンセント１６３から電力が供給される。また、買物かご１２０の底面には、平面状のコイル１２４を備える非接触型の受電装置１２３が設けられており、この受電装置１２３はＩＣタグ１２１に電力を供給する蓄電池１２２に電気的に接続されている。
【００３８】
かかる構成により、買物かご１２０が買物かご台１６０に置かれると、送電装置１６１のコイル１６２に誘起された電圧は、電磁誘導作用により受電装置１２４のコイル１２３の電圧を誘起させる。これにより、蓄電池１２２へ電力が供給され、蓄電池１２２を充電することができる。
なお、上段の買物かご１２０のコイルは送電装置１６１から離れるものの、直下の買物かご１２０のコイル１２３の誘導電圧による電磁誘導作用により、誘起電圧が発生するので、買物かご２０の積み重ね位置にかかわらず充電可能である。
【図面の簡単な説明】
【００３９】
【図１】本実施形態の盗難監視システムの構成を示す図である。
【図２】買物かごの構成を示す図であり、（Ａ）は斜視図、（Ｂ）は（Ａ）におけるＢ部拡大図、（Ｃ）は（Ｂ）におけるＣ−Ｃ´断面図であり、（Ｄ）は（Ｂ）におけるＤ−Ｄ´断面図である。
【図３】買物かご台の構成を示す図であり、（Ａ）は斜視図、（Ｂ）は（Ａ）におけるＢ部拡大図である。
【図４】買物かご台に複数の買物かごが重ねて置かれた状態を示す図であり、（Ａ）は斜視図、（Ｂ）は買物かごの電極の近傍の拡大断面図であり、（Ｃ）は（Ｂ）におけるＣ−Ｃ´断面図である。
【図５】盗難監視システムにより買物かごの盗難を防止する流れを示すフローチャートである。
【図６】非接触型の充電器により充電を行う場合の買物かご及び充電器の構成を示す図である。
【符号の説明】
【００４０】
１０  盗難防止システム
２０、１２０  買物かご
２１、１２１  ＩＣタグ
２２、１２２  蓄電池
２３  電極
３０  監視装置
３１  盗難判定部
３２  買物かご監視部
３３  警報発信部
３４  受信履歴記録部
３５  受信履歴取得部
３６  受信履歴データベース
４０  センサ
５０  スピーカ
６０、１６０  買物かご台
６１  枠材
６２  電極
６３、１６３  コンセント
６４  充電器
１２３  受電装置
１２４  コイル
１６１  送電装置
１６２  コイル
１６４  変圧器
【図２】
0005111168.tif 000002
【図３】
0005111168.tif 000003
【図４】
0005111168.tif 000004
【図５】
0005111168.tif 000005
【図６】
0005111168.tif 000006
【図１】
0005111168.tif 000007